(57)【要約】【課題】障害の生じた機器の特定を簡単な構成で行えるようにする。【解決手段】ソフトウエア無線システム１は、複数の器材をネットワークで接続して構成されており、各器材の動作異常を表す異常動作情報を通信管制盤２が収集する。通信管制盤２は、収集する異常動作情報と対応付けて各器材の障害情報を記憶する障害情報Ｄ／Ｂを備えており、記憶した障害情報のうち収集した異常動作情報と対応付けられた障害情報を障害解析結果として提供する。通信管制盤２は、収集した異常動作情報に含まれる障害番号又はシステムステータスと、障害情報Ｄ／Ｂが障害情報と対応付けた障害番号及びシステムステータスとが一致するか否か又は一致数に応じて、障害情報Ｄ／Ｂが記憶した障害情報に順位を付け、順位の上位から順に障害情報を提供する。【選択図】図１
2010199686.tif 000002
【特許請求の範囲】
【請求項１】
複数の器材をネットワークで接続して構成された電子機器システムであって、
前記ネットワークで接続された各器材の異常動作情報を収集する異常動作情報収集手段と、
前記異常動作情報収集手段が収集する異常動作情報と対応付けて各前記器材の障害情報を記憶する障害情報記憶手段と、
前記障害情報記憶手段が記憶した障害情報のうち、前記異常動作情報収集手段が収集した異常動作情報と対応付けられた障害情報を提供する障害情報提供手段とを備えることを特徴とする電子機器システム。
【発明の詳細な説明】
【技術分野】
【０００１】
本発明は、複数の器材をネットワークで接続して構成された電子機器システムに関する。
【背景技術】
【０００２】
下記の特許文献１に開示された多用途電子機器システムでは、複数のモジュールが備える機能実行部の故障部位をホストが検出して良否判定を行い、その結果に基づきモジュール構成の再構築が行われる。機能実行部には２つの故障検出部が設けられており、各モジュールの機能実行部が備える故障検出部同士が信号線群で接続されている。
【０００３】
信号線群は、各モジュールを横方向に連続して接続する信号線と、縦方向に連続して接続する信号線とをマトリクス状に配置し、各信号線の終端を接地して構成されている。縦方向の信号線には各モジュールの一方の故障検出部が、横方向の信号線には他方の故障検出部がそれぞれ接続されている。機能実行部に故障が生じるとその機能実行部に接続された信号線の電位値が異常になることから、ホストは、電位値が異常な縦方向及び横方向の一対の信号線に接続された機能実行部を、故障個所として特定する。
【先行技術文献】
【特許文献】
【０００４】
【特許文献１】特開２００６−９４１６７号公報
【発明の概要】
【発明が解決しようとする課題】
【０００５】
上記特許文献１の多用途電子機器システムでは、システムを構成する各器材間に信号線をマトリクス状に配索しなければならず、配索作業が煩雑であった。
【０００６】
本発明は斯かる課題に鑑みてなされたもので、上記課題を解決できる電子機器システムを提供することを目的とする。
【課題を解決するための手段】
【０００７】
このような目的を達成するために、本発明の電子機器システムは、複数の器材をネットワークで接続して構成された電子機器システムであって、前記ネットワークで接続された各器材の異常動作情報を収集する異常動作情報収集手段と、前記異常動作情報収集手段が収集する異常動作情報と対応付けて各前記器材の障害情報を記憶する障害情報記憶手段と、前記障害情報記憶手段が記憶した障害情報のうち、前記異常動作情報収集手段が収集した異常動作情報と対応付けられた障害情報を提供する障害情報提供手段とを備えることを特徴とする。
【発明の効果】
【０００８】
本発明によれば、収集した異常動作情報と対応付けて記憶された器材の障害情報を提供することで、障害の生じた機器の特定を簡単な構成で容易に行わせることができる。
【発明を実施するための形態】
【０００９】
以下、図面を参照して、本発明の最良の形態について説明する。
図１は、本実施形態のソフトウエア無線システム１の構成の概略を示すブロック図である。図２は、ソフトウエア無線システム１が備える通信管制盤２の構成の概略を示すブロック図である。
【００１０】
図１に示すように、ソフトウエア無線システム１は、空中線Ｃに接続される電力増幅器１２ａ，受信増幅器１２ｂと、電力増幅器１２ａに接続された帯域ろ波器１２ｃと、高周波接続切換器１３を介して電力増幅器１２ａ，受信増幅器１２ｂ，帯域ろ波器１２ｃと接続された変復調器１４と、音声連接器１５を介して変復調器１４に接続された音声端末１６ａ及びレコーダ１６ｂと、変復調器１４に接続されたメッセージ端末１７ａ及びプリンタ１７ｂと、各部の接続制御を行う無線系連接器１８と、ソフトウエア無線システム１が備える各器材の通信管制を行う通信管制盤２とを備えている。また、ソフトウエア無線システム１は、空中線Ｃと共に複数の電力増幅器１２ａで共用される空中線整合器１１ａ，空中線共用器１１ｂを備えている。
【００１１】
高周波接続切換器１３は、電力増幅器１２ａ，受信増幅器１２ｂ，帯域ろ波器１２ｃと変復調器１４との接続切換を行うためのものである。変復調器１４は、電力増幅器１２ａ又は受信増幅器１２ｂを用いた音声通信又はデータ通信を行うためのものであり、音声通信又はデータ通信用のソフトウェアをロードして、各チャネル毎に音声通信又はデータ通信を行う。音声連接器１５は、音声端末１６ａ，レコーダ１６ｂと変復調器１４との接続切換を行うためのものである。音声端末１６ａは、変復調器１４による音声通信用のデータの入出力に用いられる。メッセージ端末１７ａは、変復調器１４によるデータ通信用のデータの入出力に用いられる。
【００１２】
空中線整合器１１ａ，空中線共用器１１ｂ，電力増幅器１２ａ，受信増幅器１２ｂ，帯域ろ波器１２ｃ，高周波接続切換器１３，変復調器１４，音声連接器１５は、通信管制盤２と共にＬＡＮ回線で接続されて、監視制御系ネットワークを構成している。また、変復調器１４，音声連接器１５，メッセージ端末１７ａ，プリンタ１７ｂ，通信管制盤２は、無線系連接器１８と共にＬＡＮ回線で接続されて、情報系ＬＡＮを構成している。無線系連接器１８は、音声通信又はデータ通信の通信系を構築するために、情報系ＬＡＮを構成する各器材のＬＡＮ回線への接続制御を行う。
【００１３】
図２に示すように、通信管制盤２は、通信管制のため情報の入力・提供に用いられるタッチパネルディスプレイ２１と、監視制御系ネットワークの各器材と通信管制盤２との間でのデータの送受信を制御するスイッチングハブ２２と、通信管制盤２の筐体に設けられた表示灯・操作スイッチ２３と、ソフトウエア無線システム１が備える各器材の通信管制のための処理を実行する処理部２４とを備えている。
【００１４】
処理部２４は、情報系ＬＡＮを構成する各器材とのデータ通信を行うＬＡＮボード２４１と、ソフトウエア無線システム１が備える各器材との間で信号を送受信するＳＩＯボード２４２と、表示灯・操作スイッチ２３との間で信号を送受信するＤＩＯボード２４３と、ソフトウエア無線システム１が備える各器材の通信管制及び処理部２４の各部の動作制御を行うＣＰＵボード２４４と、処理部２４で処理されるデータを記憶する外部記憶ボード２４５と、処理部２４内でのデータ通信経路となるＰＣＩバス２４６とを備えている。ＣＰＵボード２４４は、監視制御系ネットワークを構成する各器材とスイッチングハブ２２を介して信号を送受信する。
【００１５】
このようにして構成される通信管制盤２は、情報系ＬＡＮ及び監視制御系ネットワークを用いて、通信系の構築，構築した通信系の通信諸元設定並びに監視，ソフトウエア無線システム１を構成する各器材の監視を行う。通信管制盤２の構築する通信系にはＨＦ音声通信系，ＶＨＦデータ通信，ＵＨＦ音声通信，ＶＨＦ音声ＶＯＩＰ通信系等が含まれる。
【００１６】
通信管制盤２は、通信系を構築する場合、所定チャネルでの通信を変復調器１４に、この所定チャネルと電力増幅器１２ａとの接続を高周波接続切換器１３にそれぞれ指示し、空中線Ｃの使用を空中線整合器１１ａに通知する。また、通信管制盤２は、音声通信系だと音声端末１６ａ，データ通信系だとメッセージ端末１７ａと変復調器１４の所定チャネルとの接続を無線系連接器１８に指示する。空中線整合器１１ａ，高周波接続切換器１３，変復調器１４，音声連接器１５及び無線系連接器１８が、通信管制盤２の指示又は通知に従い動作することで、上記各器材がハード的に接続されて通信系が構築され、図３に示すように、無線機（図３ではＵＨＦ音声通信系の無線機）１０が構築される。通信管制盤２は、ハード的に構築された無線機１０の通信諸元を設定する等して、無線機１０を運用可能な状態とする。
【００１７】
ソフトウエア無線システム１が無線機１０を構築して運用可能な状態とするまでの処理の概略を、システムステータスの変化と合わせて説明する。
【００１８】
システムステータスは、電源の投入から遮断までのどの状態にソフトウエア無線システム１が置かれているか示すものであり、ソフトウエア無線システム１の各器材が実行中の処理に基づき定められる。システムステータスは、図４に示すように、アルファベットと数字とを組み合わせた合計４桁で構成されている。システムステータスの１桁目には、通信系の種別が表され、例えば、電源投入から通信系の構築開始前までには“０”が，ＨＦ音声通信系には“Ａ”が割り当てられ，他の通信系についても同図に示すアルファベットが割り当てられている。システムステータスの２桁目〜４桁目は、ソフトウエア無線システム１の動作状態を表す動作番号となっており、ソフトウエア無線システム１が実行している処理に応じた３桁の数値が割り当てられている。
【００１９】
電源投入されて上述の通信系構築の処理が行われ、その後、図５に示すように高周波接続切換器１３が電力増幅器１２ａの接続を変更する処理（Ｓ０）までを完了すると、通信管制盤２は、送信出力，送受信波の周波数，変調方式等の通信諸元の設定を変復調器１４に指示する（Ｓ１）。指示を受けた変復調器１４は、通信諸元設定に基づいた高圧切・キーライン接を空中線整合器１１ａ，電力増幅器１２ａに指示し（Ｓ２，Ｓ３）、「運用不可」を通信管制盤２に通知する（Ｓ４）。この通知により、システムステータスが「Ｇ０１０」となる。
【００２０】
続いて、Ｓ５の処理で空中線整合器１１ａの通信諸元の設定が行われ、通信諸元の設定完了の通知を空中線整合器１１ａから受けると（Ｓ６）、変復調器１４は、「整合同調盤番号」を通信管制盤２に通知する（Ｓ７）。この通知により、システムステータスが「Ｇ０１１」となる。
【００２１】
その後、Ｓ８，Ｓ１０で空中線整合器１１ａから整合中ステータスの通知を受けると、変復調器１４は、「粗調中」，「粗調完了」を通信管制盤２に順に通知する（Ｓ９，Ｓ１１）。Ｓ９，Ｓ１１の通知により、システムステータスが「Ｇ０１２」，「Ｇ０１３」と順に移行する。その後、Ｓ１２〜Ｓ１６の処理が実行されて、ＰＡ整合を開始した電力増幅器１２ａから整合中ステータスの通知（Ｓ１７），送信開始要求（Ｓ１９）を受け、また、ＲＦ信号を送信した電力増幅器１２ａから送信停止要求（Ｓ２２），整合終了ステータスの通知（Ｓ２５）を受けると、変復調器１４がＳ１８，Ｓ２０，Ｓ２３，Ｓ２６の通知を行い、システムステータスが「Ｇ０１４」，「Ｇ０１５」，「Ｇ０１６」，「Ｇ０１７」と順に移行する。
【００２２】
電力増幅器１２ａの整合が終了してシステムステータスが「Ｇ０１７」に移行すると、空中線整合器１１ａの精調処理が実行され（Ｓ２７）、精調処理の段階に応じてシステムステータスが変化する。空中線整合器１１ａの精調処理が終了すると、変復調器１４は、電力増幅器１２ａに通信諸元を通知した後（Ｓ２８）、「運用可」を通信管制盤２に通知する（Ｓ２９）。この通知により、システムステータスが「Ｇ０２２」に移行する。Ｓ２８の通知を受けた電力増幅器１２ａは、通信諸元の設定を行う。これにより、無線機１０が運用可能となる。
【００２３】
通信管制盤２は、通信系の監視では、通信系の構築及び運用等の処理動作が正常に行われているかを監視する。また、ソフトウエア無線システム１を構成する各器材の監視では、ＬＡＮ回線に接続された各器材に死活監視（正常に動作しているかの確認）の電文を所定時間毎（例えば２秒毎）に送信し、電文への応答がないと動作異常と判定する。また、ソフトウエア無線システム１の備える各器材は自己診断機能を有しており、自己の動作異常を検知した器材から障害番号の通知を受けると、後述する障害解析処理（図１２，図１３参照）を行う。
【００２４】
障害番号は、ソフトウエア無線システム１の各器材の異常動作を区別するために、ソフトウエア無線システム１の各器材で生じ得る異常動作に割り当てられた番号であり、“００１”から始まる３桁の数字で表される。障害番号は、１つの器材で生じた異常動作の障害番号が連番になるように定められている。
【００２５】
図６は、動作異常への障害番号の割り当て方法の一例を示す図である。図６に示す例では、器材名「変復調器（ＯＣＲ−５０）」に障害番号“００１”〜“０８０”が、器材名「電力増幅器（１００Ｗ  ＵＨＦ−ＰＡ）（Ｎ−ＡＭ−４０１）」に障害番号“３１１”〜“３２４”が割り当てられており、他の器材にも同様に障害番号が割り当てられている。障害番号を取得した通信管制盤２は、取得した障害番号及びその個数を、システムステータスと共に異常動作情報テーブルに記憶する。システムステータスは、動作異常情報取得時のシステムステータスが記憶される。ソフトウエア無線システム１を構成する各器材から収集されて、情報異常動作テーブルに記憶される障害番号並びにその個数、及び、システムステータスは、異常動作情報を構成している。
【００２６】
次に、電源投入から遮断までの処理の実行中に障害が発生した場合に、その障害情報を提供する障害解析プログラムについて、図７を用いて説明する。障害解析プログラムは、通信管制盤２の外部記憶ボード２４５に記憶されており、通信管制盤２の電源が投入されると起動して処理部２４の動作を制御し、障害発生を検知すると、外部記憶ボード２４５に記憶された異常動作情報テーブル、解析基準ファイル、及び障害情報Ｄ／Ｂを用いて障害解析結果ファイルを作成する。
【００２７】
図７に示す解析基準ファイルは、障害番号とシステムステータスの何れを優先して障害解析を行うかを定めたファイルであり、通信管制盤２のタッチパネルディスプレイ２１からの入力に基づき作成され、外部記憶ボード２４５に記憶されている。
【００２８】
図８は、タッチパネルディスプレイ２１を用いた解析基準ファイルの作成方法の一例を説明する図である。タッチパネルディスプレイ２１のメイン画面（図８（ａ））で「障害解析システム」の項目２１ａが決定されると、タッチパネルディスプレイ２１には障害解析案内画面（図８（ｂ））が表示され、「解析基準の変更」の項目２１ｂが決定されると、解析基準変更画面（図８（ｃ））が表示される。解析基準変更画面で「障害番号優先」の項目２１ｃが決定されると、障害番号を優先して障害解析を行うことを定めた解析基準ファイルが作成される。一方、「システムステータス優先」の項目２１ｄが決定されると、システムステータスを優先して障害解析を行うことを定めた解析基準ファイルが作成される。
【００２９】
図７に示す障害情報Ｄ／Ｂは、過去に発生した障害の情報を記憶するデータベースであり、過去に発生した障害の障害情報を障害毎に記憶している。図９（ａ）は障害情報Ｄ／Ｂが記憶する障害情報レコードのレコードフォーマットの構成を概念的に示す図，（ｂ）は障害の情報が記憶された障害情報レコードを概念的に示す図である。
【００３０】
障害情報レコードは、障害ＩＤ，障害時のシステムステータス，障害番号，障害器材，障害状況，障害の原因とその対策内容（原因／対策内容），システムバージョン，障害の発生した日付（障害日付）を記憶する領域を備えている。障害ＩＤは、障害情報Ｄ／Ｂに記憶された障害情報レコードを識別する情報である。障害時のシステムステータスは、図５を用いて説明したシステムステータスであり、障害発生時のシステムステータスが記憶される。障害器材は、障害が発生した器材を特定する情報であり、障害のあった器材を識別する情報が記憶される。障害番号は、その障害で通知された障害番号の個数及びその障害番号の情報である。
【００３１】
図９（ｂ）に示す例では、“障０００１”の障害ＩＤを記憶した障害情報レコードに、障害時のシステムステータスとして“００００”が，障害番号として個数“１”及び障害番号“３４８”が，障害器材として“ＯＲＣ−５０♯１”が，システムバージョンとして“００．８５”が，障害日付として“２００８．０６．０１”がそれぞれ記憶され、その他障害状況及び原因／対策内容としても図９（ｂ）に示す事項が記憶されている。また、障害ＩＤ“障０００２”，“障０００３”の各障害情報レコードにも、図９（ｂ）に示す事項が各記憶領域に記憶されている。
【００３２】
障害情報レコードは、通信管制盤２のタッチパネルディスプレイ２１の入力に基づき生成され、障害情報Ｄ／Ｂに記憶される。図１０は、タッチパネルディスプレイ２１を用いて障害情報レコードに障害情報を記憶する障害情報データ入力画面の一例を説明する図である。
【００３３】
図１０に示す障害情報データ入力画面は、図８（ｂ）の障害解析案内画面で「障害解析データ入力」の項目２１ｅが選択されると、タッチパネルディスプレイ２１に表示される。障害情報データ入力画面には、障害情報レコードに割り当てられる障害ＩＤの表示欄が設けられている。障害ＩＤは、障害の発生順に処理部２４が自動的に割り当てる。また、障害情報データ入力画面には、上述した「障害日付」，「システムバージョン」，「障害時のシステムステータス」，「障害番号」，「障害器材」，「障害状況」，「原因／対策内容」の入力欄が設けられている。障害情報データ入力画面の各入力欄への入力後に、「入力」の項目が選択されると、入力情報に基づき障害情報レコードが生成され、障害情報Ｄ／Ｂに記憶される。
【００３４】
図７に示す障害解析結果ファイルは、後述する障害番号優先障害解析処理（図１２参照）、又は、システムステータス優先障害解析処理（図１３参照）で生成される。障害解析結果ファイルには、今日発生した障害の障害日付，システムバージョン，変復調器１４のチャネル番号，障害時のシステムステータス，障害番号の他、障害器材，障害詳細の情報が記憶される。障害器材は、障害の生じた可能性の高い器材の機器名を優先順位１〜５まで障害詳細と共に記憶する。障害詳細は、優先順位１〜６までの各器材についての障害ＩＤ，障害時のシステムステータス，障害番号，障害状況，原因／対策内容，システムバージョン，障害日付の情報であり、障害番号優先障害解析処理（図１２参照）、又は、システムステータス優先障害解析処理（図１３参照）で障害Ｄ／Ｂの障害情報レコードに記憶された情報を基に生成される。
【００３５】
障害解析結果ファイルは、タッチパネルディスプレイ２１での障害解析結果表示画面の表示に用いられる。図１１は、障害解析結果表示画面の一例を説明する図である。図１１に示す障害解析結果表示画面は、図８（ｂ）の障害解析案内画面で「障害解析結果」の項目２１ｆが選択されると、タッチパネルディスプレイ２１に表示される。障害解析結果表示画面には、障害解析結果ファイルに記憶されたチャネル番号，障害日付，システムバージョン，障害時のシステムステータス，障害番号，障害器材，障害詳細の表示欄が設けられている。障害器材の表示欄には、優先順位１〜５の障害器材と共に、障害詳細の選択項目が表示される。障害詳細の選択項目が決定されると、その障害器材の障害詳細の情報が障害詳細の表示欄に表示される。
【００３６】
次に、障害解析プログラムが実行する障害解析処理について説明する。まず、障害番号を優先して障害解析を行うことを定めた解析基準ファイルが障害情報Ｄ／Ｂに記憶されている場合に実行される障害番号優先障害解析処理について説明する。図１２は、障害番号優先障害解析処理の処理の概略を示すフローチャートである。
【００３７】
障害番号優先障害解析処理は、通信管制盤２が備える処理部２４のＣＰＵボード２４４が実行する。この障害番号優先障害解析処理では、ＣＰＵボード２４４は、障害情報Ｄ／Ｂに記憶された障害情報レコードの一時保存に用いるレコード一時保存テーブルをセットし、また、障害番号個数ワークテーブル，カウントワークテーブル，及びカウンタをセットする（Ｓ１０１）。
【００３８】
次に、ＣＰＵボード２４４は、異常動作情報テーブルに記憶された障害番号個数を障害番号個数ワークテーブルにセットし、また、カウンタにカウント値“０”をセットする（Ｓ１０２）。次に、ＣＰＵボード２４４は、カウンタにセットされたカウント値をカウントワークテーブルにセットし（Ｓ１０３）、続いて、障害情報Ｄ／Ｂの先頭に記憶された障害情報レコードを読み込む（Ｓ１０４）。次に、ＣＰＵボード２４４は、異常動作情報テーブルに記憶された障害番号のうち、障害番号個数ワークテーブルにセットした個数の障害番号が、読み込んだ障害情報レコードに含まれているかを判別する（Ｓ１０５）。
【００３９】
この判別が“Ｙｅｓ”だと、ＣＰＵボード２４４は、読み込んだ障害情報レコードのシステムステータスの１桁目が、異常動作情報テーブルに記憶されたシステムステータスの１桁目と等しいかを判別する（Ｓ１０６）。この判別が“Ｙｅｓ”だと、ＣＰＵボード２４４は、レコード一時保存テーブルのカウンタのカウント値の配列番号の格納領域に、読み込んだ障害情報レコードをセットし（Ｓ１０７）、続いて、レコード一時保存テーブルにおけるカウントワークテーブルの記憶値からカウンタのカウント値までの配列番号の障害情報レコードを、第１キーを障害番号の個数として昇順で、第２キーをシステムステータスとして降順でそれぞれソートする（Ｓ１０８）。次いで、ＣＰＵボード２４４は、カウンタのカウント値に１を加算する（Ｓ１０９）。
【００４０】
Ｓ１０５若しくはＳ１０６の判別が“Ｎｏ”の場合、又は、Ｓ１０９の処理の後、ＣＰＵボード２４４は、障害情報Ｄ／Ｂに記憶された最後の障害情報レコードまで読み込んだかを判別する（Ｓ１１１）。この判別が“Ｎｏ”だと、ＣＰＵボード２４４は、障害情報Ｄ／Ｂに記憶された次の障害情報レコードを読み込み（Ｓ１１２）、処理をＳ１０５に戻す。Ｓ１１１の判別が“Ｙｅｓ”だと、ＣＰＵボード２４４は、障害番号個数ワークテーブルにセットした障害番号の個数から１を減算し（Ｓ１１３）、障害番号個数ワークテーブルの記憶値が“０”であるかを判別する（Ｓ１１４）。
【００４１】
Ｓ１１４の判別が“Ｎｏ”であると、ＣＰＵボード２４４は、処理をＳ１０３に戻し、上述の処理を繰り返す。Ｓ１１４の判別が“Ｙｅｓ”だと、ＣＰＵボード２４４は、レコード一時保存テーブルの配列番号“０”からカウンタのカウント値“−１”までの配列番号の障害情報レコードの記憶情報を、障害解析結果ファイルに書き込み（Ｓ１１５）、処理を終了する。
【００４２】
次に、システムステータス優先で障害解析を行うシステムステータス優先障害解析処理について説明する。図１３は、システムステータス優先障害解析処理の処理の概略を示すフローチャートである。
【００４３】
システムステータス優先障害解析処理では、ＣＰＵボード２４４は、障害情報Ｄ／Ｂに記憶された障害情報レコードの一時保存に用いるレコード一時保存テーブルをセットし、また、カウントワークテーブル，ステータスワークテーブル，及びカウンタをセットする（Ｓ２０１）。
【００４４】
次に、ＣＰＵボード２４４は、異常動作情報テーブルに記憶されたシステムステータスをステータスワークテーブルにセットし、また、カウンタにカウント値“０”をセットする（Ｓ２０２）。次に、ＣＰＵボード２４４は、カウンタにセットされたカウント値をカウントワークテーブルにセットし（Ｓ２０３）、続いて、障害情報Ｄ／Ｂの先頭に記憶された障害情報レコードを読み込む（Ｓ２０４）。次に、ＣＰＵボード２４４は、読み込んだ障害情報レコードのシステムステータスがシステムステータスワークテーブルに記憶されたシステムステータスと等しいかを判別する（Ｓ２０５）。
【００４５】
この判別が“Ｙｅｓ”だと、ＣＰＵボード２４４は、異常動作情報テーブルに記憶された障害番号が、読み込んだ障害情報レコードの障害番号に少なくとも１つ存在するかを判別する（Ｓ２０６）。この判別が“Ｙｅｓ”だと、ＣＰＵボード２４４は、異常動作情報テーブルに記憶された障害番号と、読み込んだ障害情報レコードの障害番号とが一致する個数を、読み込んだ障害情報レコードと共にレコード一時保存テーブルのカウンタのカウント値の配列番号の格納領域にセットする（Ｓ２０７）。
【００４６】
ＣＰＵボード２４４は、続いて、レコード一時保存テーブルのカウントワークテーブルの記憶値からカウンタのカウント値のまでの配列番号の障害情報レコードを、第１キーを一致する障害番号の個数として降順で、第２キーを障害番号の個数として昇順でそれぞれソートする（Ｓ２０８）。次いで、ＣＰＵボード２４４は、カウンタのカウント値に１を加算する（Ｓ２０９）。
【００４７】
Ｓ２０５若しくはＳ２０６の判別が“Ｎｏ”の場合、又は、Ｓ２０９の処理の後、ＣＰＵボード２４４は、障害情報Ｄ／Ｂに記憶された最後の障害情報レコードまで読み込んだかを判別する（Ｓ２１１）。この判別が“Ｎｏ”だと、ＣＰＵボード２４４は、障害情報Ｄ／Ｂに記憶された次の障害情報レコードを読み込み（Ｓ２１２）、処理をＳ２０５に戻す。Ｓ２１１の判別が“Ｙｅｓ”だと、ＣＰＵボード２４４は、ステータスワークテーブルの下３桁の数字が“０００”であるかを判別する（Ｓ２１３）。この判別が“Ｎｏ”だと、ＣＰＵボード２４４は、ステータスワークテーブルの下３桁の数字から“１”を減算したものをステータスワークテーブルの下３桁にセットし直し（Ｓ２１４）、処理をＳ２０３に戻して上述の処理を繰り返す。
【００４８】
Ｓ２１３の判別が“Ｙｅｓ”だと、ＣＰＵボード２４４は、レコード一時保存テーブルの配列番号“０”からカウンタのカウント値“−１”までの配列番号の障害情報レコードの記憶情報を、障害解析結果ファイルに書き込み（Ｓ２１５）、処理を終了する。
【００４９】
次に、上述した障害番号優先障害解析処理（図１２参照）とシステムステータス優先障害解析処理（図１３参照）とで、得られる解析結果の違いについて、図１４を用いて説明する。異常動作情報テーブルにシステムステータスとして“Ａ０１０”，障害番号として個数“４”，障害番号“５１，７１，８０，８１”が記憶され、障害情報Ｄ／Ｂに図１４に示す“障０００１”，“障０００２”，“障０００３”の障害情報レコードが記憶されている場合について説明する。
【００５０】
この例では、障害番号優先で障害解析を行うと、Ｓ１０４で最初に読み込まれる“障０００１”の障害情報レコードではシステムステータスとして“Ａ００８”が記憶され、障害番号の情報として障害個数“４”，障害番号“５１，７１，８０，８１”が記憶されているので、障害番号優先障害解析処理（図１２参照）のＳ１０５，Ｓ１０６の判別が“Ｙｅｓ”となり、Ｓ１０７でレコード一時保存テーブルに保存される。
【００５１】
次に読み込まれる“障０００２”の障害情報レコードでは、システムステータスとして“Ａ００９”が記憶され、障害番号の情報として障害個数“３”，障害番号“５１，７１，８１”が記憶されているので、Ｓ１０５，Ｓ１０６の判別が“Ｙｅｓ”となり、Ｓ１０７でレコード一時保存テーブルに保存される。
【００５２】
次に読み込まれる“障０００３”の障害情報レコードでは、システムステータスとして“Ａ０１０”が記憶され、障害番号の情報として障害個数“２”，障害番号“５１，７１”が記憶されているので、Ｓ１０５，Ｓ１０６の判別が“Ｙｅｓ”となり、Ｓ１０７でレコード一時保存テーブルに保存される。続くＳ１０８，Ｓ１１５の処理が実行されることで、一致する障害番号の数の多い順に、“障０００１”の障害情報レコードが優先順位１，“障０００２”の障害情報レコードが優先順位２，“障０００１”の障害情報レコードが優先順位３と定められる。
【００５３】
一方、システムステータス優先で障害解析を行うと、Ｓ２０４で最初に読み込まれる“障０００１”の障害情報レコードではシステムステータスとして“Ａ００８”が記憶され、障害番号の情報として障害番号“５１，７１，８０，８１”が記憶されているので、システムステータス優先障害解析処理（図１３参照）のＳ２０５の判別が“Ｎｏ”となり、“障０００２”の障害情報レコードが次に読み込まれる。
【００５４】
“障０００２”の障害情報レコードも、システムステータスとして“Ａ００９”が記憶され、障害番号の情報として障害番号“５１，７１，８１”が記憶されているので、Ｓ２０５の判別が“Ｎｏ”となり、“障０００３”の障害情報レコードが次に読み込まれる。
【００５５】
“障０００３”の障害情報レコードは、システムステータスとして“Ａ０１０”が記憶され、障害番号の情報として障害番号“５１，７１”が記憶されているので、システムステータス優先障害解析処理（図１３参照）のＳ２０５，Ｓ２０６の判別が“Ｙｅｓ”となり、Ｓ２０７でレコード一時保存テーブルに保存される。
【００５６】
その後、Ｓ２１４の処理が繰り返されて、“障０００１”，“障０００２”の障害情報レコードについてＳ２０５，Ｓ２０６の判別が“Ｙｅｓ”になると、Ｓ２０７でレコード一時保存テーブルに保存される。続くＳ２０８，Ｓ２１５の処理が実行されることで、異常動作情報テーブルのシステムステータスと一致する“障０００３”の障害情報レコードからシステムステータスの値の小さくなる“障０００２”の障害情報レコード，“障０００１”の障害情報レコードの順で、優先順位１〜３が定められる。
【００５７】
本実施形態によれば、ソフトウエア無線システム１を構成する各器材からの障害番号並びにその個数及びシステムステータス情報を異常動作情報として収集し、異常動作情報と対応付けて障害情報Ｄ／Ｂに記憶された障害情報レコードの中から、収集した異常動作情報と対応付けられた障害情報を提供することで、障害の生じた機器の特定を容易に行わせることができる。
【００５８】
また、本実施形態によれば、収集した異常動作情報に含まれる障害番号又はシステムステータスの項目と、障害情報Ｄ／Ｂが障害情報と対応付けた障害番号又はシステムステータスの項目とが一致するか否か又はその一致数に応じて、障害情報Ｄ／Ｂが記憶した障害情報に順位を付け、順位の上位から順に障害情報を提供することで、過去に発生した多数の障害の障害情報の中から、発生した可能性の高い障害の情報を提供することが可能となる。
【００５９】
なお、上記実施形態では、ソフトウエア無線システム１に本発明を適用した場合について説明したが、本発明は、器材をネットワークで接続して構成された他の電子機器システムにも適用できる。また、障害解析を行う際の優先順位の定め方もシステムステータスと障害番号の何れかには限定されず、各器材から収集される他の異常動作情報も含めて優先順位を定めてもよい。また、昇順や降順でソートするだけでなく、特定の障害番号やシステムステータスに優先度を付けて優先順位を定めてもよい。
【００６０】
また、ソフトウエア無線システム１を構成する各器材から収集する異常動作情報は、システムステータスや障害番号と合わせて解析することで、障害の発生した器材の特定に用いることができるのであれば任意である。例えば、電力増幅器、受信増幅器、空中線整合器の出力電力値・入力電力値、変復調器の変調度、各器材からの指示コマンド出力時間、各器材への指示コマンド入力時間、インタロックの有無等も異常動作情報として各機材から収集できる。
【００６１】
また、障害の解析結果の提供方法や解析基準の変更方法は、タッチパネルディスプレイ２１を用いた画面表示に限らず、通信管制盤２にＬＡＮ回線でＰＣをリモート接続し、リモートＰＣから通信管制盤２の障害解析結果ファイル、解析基準ファイルを参照・更新する等の他の手段を用いることができる。
【００６２】
以上、本発明の実施形態について説明したが、本発明の実施態様としては、以下のものを挙げることができる。
実施態様１の電子機器システムは、複数の器材をネットワークで接続して構成された電子機器システムであって、前記ネットワークで接続された各器材の異常動作情報を収集する異常動作情報収集手段と、前記異常動作情報収集手段が収集する異常動作情報と対応付けて各前記器材の障害情報を記憶する障害情報記憶手段と、前記障害情報記憶手段が記憶した障害情報のうち、前記異常動作情報収集手段が収集した異常動作情報と対応付けられた障害情報を提供する障害情報提供手段とを備えることを特徴とする。
また、実施態様２の電子機器システムは、実施態様１において、前記異常動作情報収集手段が収集した異常動作情報に含まれる項目と、前記障害情報記憶手段が障害情報と対応付けた異常動作情報に含まれる項目とが一致するか否か又はその一致数に応じて、前記障害内容記憶手段が記憶した障害情報に順位を付ける順位付与手段を備え、前記障害情報提供手段が、前記順位付与手段が付けた順位の上位から順に障害情報を提供することを特徴とする。
【図面の簡単な説明】
【００６３】
【図１】本発明の一実施形態のソフトウエア無線システムの構成の概略を示すブロック図である。
【図２】ソフトウエア無線システムが備える通信管制盤の構成の概略を示すブロック図である。
【図３】ソフトウエア無線システムが構築した無線機の構成の一例を示す概略図である。
【図４】システムステータスの構成を概念的に示す図である。
【図５】ソフトウエア無線システムが無線機を構築して運用可能な状態とするまでの処理の概略を、システムステータスの変化と合わせて示す図である。
【図６】異常動作への障害番号の割り当て方法の一例を示す図である。
【図７】ソフトウエア無線システムが障害解析プログラムを用いて行う処理を示す図である。
【図８】タッチパネルディスプレイを用いた解析基準ファイルの作成方法の一例を示す図である。
【図９】（ａ）は障害情報Ｄ／Ｂが記憶するレコードフォーマットの構成を概念的に示す図，（ｂ）は障害情報が記憶された障害情報レコードを概念的に示す図である。
【図１０】タッチパネルディスプレイに表示される障害情報データ入力画面の一例を示す図である。
【図１１】障害解析結果表示画面の一例を示す図である。
【図１２】障害番号優先障害解析処理の処理の概略を示すフローチャートである。
【図１３】システムステータス優先障害解析処理の処理の概略を示すフローチャートである。
【図１４】障害番号優先とシステムステータス優先とでの障害解析結果の違いを説明するための図である。
【符号の説明】
【００６４】
１      ソフトウエア無線システム
２      通信管制盤
１２ａ  電力増幅器
１２ｂ  受信増幅器
１２ｃ  帯域ろ波器
１３    高周波接続切換器
１４    変復調器
１５    音声連接器
１６ａ  音声端末
１７ａ  メッセージ端末
１１ａ  空中線整合器
１１ｂ  空中線共用器
１８    無線系連接器
２１    タッチパネルディスプレイ
２２    スイッチングハブ
２４    処理部
２４４  ＣＰＵボード
２４５  外部記憶ボード
【図１】
2010199686.tif 000003
【図２】
2010199686.tif 000004
【図３】
2010199686.tif 000005
【図４】
2010199686.tif 000006
【図５】
2010199686.tif 000007
【図６】
2010199686.tif 000008
【図７】
2010199686.tif 000009
【図８】
2010199686.tif 000010
【図９】
2010199686.tif 000011
【図１０】
2010199686.tif 000012
【図１１】
2010199686.tif 000013
【図１２】
2010199686.tif 000014
【図１３】
2010199686.tif 000015
【図１４】
2010199686.tif 000016